(57)【要約】      （修正有）【課題】羽軸の強度不足で再度の損傷を招く等の耐久性を改善する水鳥製シャトルコックのリサイクル製品を提供する。【解決手段】コルクよりなる半球ベース９の上端面１０に羽毛に向かって台形状の羽軸を有する羽根１５を円錐状に組み合わせて、第１の連結糸７と第２の連結糸８で周方向に羽軸を連結固定してなる水鳥製シャトルコックの羽根または羽軸の損傷を修復してなる水鳥製シャトルコックのリサイクル製品において、前記羽根１５の羽軸を第２の連結糸８と第１の連結糸７の間にて接合面を形成してなる第１の羽軸と、隣接する正常な羽根と同様な正常な羽毛２を有する第２の羽軸３の接合面とを接合棒６を介して勘合固定したことを特徴とする。【選択図】図１
0003175765.tif 000002
【実用新案登録請求の範囲】
【請求項１】
コルクよりなる半球ベース（９）の上端面（１０）に、羽毛に向かって台形状の羽軸を有する羽根（１５）を円錐状に組み合わせて、第１の連結糸（７）と第２の連結糸（８）で周方向に羽軸を連結固定してなる水鳥製シャトルコックの羽根または羽軸の損傷を修復してなる水鳥製シャトルコックのリサイクル製品において、前記羽根（１５）の羽軸を第２の連結糸（８）と第１の連結糸（７）の間にて接合面（５）を形成してなる第１の羽軸と隣接する正常な羽根と同様な正常な羽毛（２）を有する第２の羽軸（３）の接合面（１２）とを接合棒（６）を介して勘合固定してなる水鳥製シャトルコックのリサイクル製品。
【請求項２】
請求項１記載の接合棒（６）を第２の連結糸よりも上方へ突設させたことを特徴とする水鳥製シャトルコックのリサイクル製品。
【請求項３】
請求項１記載の接合棒の断面形状を非真円形（１９）としたことを特徴とする水鳥製シャトルコックのリサイクル製品。
【請求項４】
請求項１乃至請求項３記載の接合棒の表面を粗面形状としたことを特徴とする水鳥製シャトルコックのリサイクル製品。
【請求項５】
請求項１記載の接合棒を合成樹脂製としたことを特徴とする水鳥製シャトルコックのリサイクル製品。
【請求項６】
請求項１記載の接合面（５）と接合面（１２）を接着したことを特徴とする水鳥製シャトルコックのリサイクル製品。
【考案の詳細な説明】
【考案の詳細な説明】
【技術分野】
【０００１】  この考案はバドミントンで使用する水鳥製のシャトルコックで、折れ曲りや欠落や割れ等の損傷した羽毛や羽軸の部分のみを除去後に、残存する羽軸に別の同長のシャトルコックから転用した、除去部分と同長の正常な羽毛を有する正常な羽軸を交換植付けし、複数回再利用を可能とした水鳥製シャトルコックのリサイクル製品に関するものである。
【背景技術】
【０００２】  従来、折れ曲がりや欠落や割れ等の損傷した羽根はその１本の羽軸の全部をシャトルコックのベースから除去し、別の同種の正常な羽根１本に交換するリサイクル製品や、折れ曲がりや割れた羽軸はその箇所において、充填剤や接着剤を塗布して元の形に復元するリサイクル製品が有る。
【考案の概要】
【考案が解決しようとする課題】
【０００３】  バドミントンで水鳥製シャトルコックを試合や練習で使用すると、羽毛や羽軸をラケットのフレーム部で打つたり、体育館のコートの床やネット等に羽毛や羽軸を衝突させて損傷する。新品を使用した直後に損傷する場合も有り、シャトルコックは消耗品扱いとして購入費用がかさみ、費用節減のニーズは高くシャトルコックのリサイクル品を必要としていた。
従来の水鳥製シャトルコックのリサイクル製品は、損傷した羽根と正常な羽根一本に交換植え付け時に第１と第２の連結糸の輪に正常な羽軸を通す為に羽軸を細くすることが必要であった。そのリサイクル製品では羽軸の強度不足で再度の損傷を招く等の耐久性に問題が有った。本考案は以上の課題を解決する水鳥製シャトルコックのリサイクル製品を提供する。
【課題を解決するための手段】
【０００４】  上記の課題を解決するために第一の考案は、コルクよりなる半球ベース（９）の上端面（１０）に羽毛に向かって台形状の羽軸を有する羽根（１５）を円錐状に組み合わせて、第１の連結糸（７）と第２の連結糸（８）で周方向に羽軸を連結固定してなる水鳥製シャトルコックの羽根または羽軸の損傷を修復してなる水鳥製シャトルコックのリサイクル製品において、前記羽根（１５）の羽軸を第２の連結糸（８）と第１の連結糸（７）の間にて接合面（５）を形成してなる第１の羽軸と隣接する正常な羽根と同様な正常な羽毛（２）を有する第２の羽軸（３）の接合面（１２）とを接合棒（６）を介して勘合固定したことを特徴とする水鳥製シャトルコックのリサイクル製品を提供する。【０００５】  第２の考案は、接合棒（６）を第２の連結糸よりも上方へ突設させたことを特徴とする水鳥製シャトルコックのリサイクル製品を提供する。【０００６】  第３の考案は接合棒の断面形状を非真円形（１９）としたことを特徴とする水鳥製シャトルコックのリサイクル製品を提供する。【０００７】  第４の考案は、接合棒の表面を粗面形状としたことを特徴とする水鳥製シャトルコックのリサイクル製品を提供する。【０００８】  第５の考案は、接合棒を合成樹脂製としたことを特徴とする水鳥製シャトルコックのリサイクル製品を提供する。【０００９】  第６の考案は、接合面（５）と接合面（１２）を接着したことを特徴とする水鳥製シャトルコックのリサイクル製品を提供する。
本考案は以上の構成よりなる水鳥製シャトルコックのリサイクル製品を提供するものである。
【考案の効果】
【００１０】  羽根（１５）の羽軸を第２の連結糸（８）と第１の連結糸（７）の間にて接合面（５）を形成してなる第１の羽軸と隣接する正常な羽根と同様な正常な羽毛（２）を有する第２の羽軸（３）の接合面（１２）とを接合棒（６）を介して勘合固定したことで、羽軸を比較的に細くすることもなく、強度上有利である。【００１１】  接合棒（６）を第２の連結糸よりも上方へ突設させたことにより、接合強度が向上する。【００１２】  接合棒の断面形状を非真円形（１９）としたことにより、回り止めと強度向上になるので好ましい。【００１３】  接合棒の表面を粗面形状としたことにより、羽軸の抜けが防止できる。【００１４】  接合棒を合成樹脂製としたことにより、金属に比べて軽量であり水鳥製の羽軸と近い重量となるので好ましい。【００１５】  接合面を接着したことにより、接合強度が向上する。
【図面の簡単な説明】
【００１６】
【図１】  本考案のリサイクル製品で転用する正常な羽毛と羽軸を、接合棒を用いて残存する羽軸に連通接続させる直前の実施例をあらわした斜視図である。
【図２】  本考案のリサイクル製品の構成を模式的にあらわした説明図である。
【図３】  損傷した羽毛と羽軸を除去後の第１の羽軸と第２の連結糸の輪を拡大した説明図である。
【図４】  損傷した羽毛と羽軸の具体例を示した説明図である。
【図５】  本考案のリサイクル製品に使用する断面形状が非真円形である接合棒を拡大した説明図である。
【考案を実施するための形態】
以下は図１〜図５を参照しながら、本考案の実施の形態を説明する。
【実施例】
【００１７】（イ）損傷した羽毛と羽軸を除去し、残存する第１の羽軸（４）の接合面（５）を第２の連結糸（８）のベース（９）方向の数ｍｍ付近に形成する。
（ロ）第１の羽軸（４）の接合面（５）を工具で羽軸に直角の水平面に磨き接合面（５）の中央部に裁縫針で接合面に垂直に接合棒（６）を勘合させる下穴（１３）の深さを接合棒の直径の約１０倍にして明ける。
（ハ）別の同種のシャトルコックから前記（イ）で除去した羽毛と羽軸と同長の正常な第２の羽軸（３）を転用し、その接合面（１２）から数ｍｍ程、羽軸の外周と稜線を工具で削り、第２の連結糸（８）の輪（１４）に勘合させる。
（ニ）第２の羽軸（３）の接合面（１２）の上面を工具で羽軸に直角に水平面に磨き、接合面の中央部に前記（ロ）と同様な下穴を明ける。
（ホ）接合棒（６）の全長を直径の約２０倍にし、前記下穴（１３）に勘合させ接合面（５）からの長さを接合棒の直径の約１０倍になるように垂直に立てる。
（ヘ）第２の羽軸（３）を接合棒（６）に嵌合させ第２の連結糸の輪（１４）を通おし、接合面同志を接触させて転用する第２の羽軸の正常な羽毛（２）と隣接する羽根の全長と羽毛の角度の正常さを確認する。
（ト）第２の羽軸の接合面（１２）を第１の羽軸の接合面（５）より数ｍｍ浮かせて隙間を作り、その隙間に接着剤を塗布して第１の羽軸の接合面に垂直に立つ接合棒（６）を介し、両接合面（１２）と（５）とを接着固定する。
（チ）第２の羽軸（３）と第２の連結糸（８）の輪（１４）との勘合部に接着剤を塗布して固定化する。
（リ）前記（ト）で接着した接合面（５）と接合面（１２）が乾燥固定化後接合面部に生じた段差に充填剤を塗布して段差を無くす。【００１８】  図２に示すように正常な羽毛（２）を有する第２の羽軸（３）の接合面（１２）と第１の羽軸の接合面（５）とを正常な位置に接合させる為に接合棒（６）を第１の羽軸（４）の接合面（５）の中央部に垂直に立てる。これに依り第１の羽軸の延長線上に第２の羽軸を接合出来、且つスカート部（１１）の羽根（１５）の羽毛の円周方向での角度も均一に装着出来る。第１の羽軸の接合面（５）と第２の羽軸の接合面（１２）は羽軸に直角の水平面に磨く事により、接着時の位置の安定度と密着度が増す。接合棒（６）は第２の連結糸（８）の輪（１４）を貫通し、図２に示す様に首が飛び出る長さに突設し、第２の羽軸（３）を接合棒に嵌合させて、第２の連結糸の輪（１４）を通おし、接合面（１２）を押し込み、正常な位置に合わせ第１の羽軸の接合面（５）と接着固定する。
これに依り接合棒の効果として第１と第２の両羽軸の位置決め精度の向上と両羽軸との嵌合固定力が発揮されて、第１と第２の両接合面での接着剤に依る接着強度を倍加させている。第２の羽軸（３）は第２の連結糸の輪（１４）に嵌合させる為に外周部と稜線部を削るので嵌合部で連結糸の円周方向で少しの隙間が生じるので接着剤を塗布して隙間を埋める。第２の羽軸（３）と連結糸の輪（１４）の嵌合部と隣接する羽根の羽軸に繋がる連結糸の表面にも接着剤を塗布して固定強化し連結糸の剛性が高める。これに依り第１と第２の両羽軸の接合面での接合棒との嵌合固定力と、連結糸の輪の固定力とで修復した水鳥製シャトルコックの羽根の耐久性と飛行性能は確保される。【００１９】  羽軸の断面形状は図２、図３に示すように台形状でシャトルコックのベースに埋め込まれていた羽軸の根元部は寸法が厚み約２ｍｍ×幅約３ｍｍであるがスカートの先端部の羽軸は約１ｍｍのほぼ正方形である。依って羽軸の断面積はベースの根元部で最大でスカート先端部では最小となり、羽軸は台形状のテーパとなり、修復の為第２の羽軸を第２の連結糸の輪（１４）を通おす時は必ず羽軸の外周と稜線を削り前記の輪（１４）より小さくするので、第１の羽軸（４）の接合面（５）上で段差を生じる。この段差が有ると応力集中となりシャトルコックの打球後の風圧に耐える事には不利であり、この段差解消の為に充填剤を第１と第２の羽軸の接合面部に塗布する。またこれに依り修復した接合面の外観も目立たずに新品シャトルコックと同様な外観が得られる。【００２０】  接合棒は打球後のシャトルコックのスカート部が風圧に耐えるように、修復する羽根の接合部には図５の（１９）に示すように非真円である長円形の接合棒を使用し耐久性を向上させる。図２で接合棒（６）を残存する羽軸（４）の接合面（５）に垂直に立てる時には、接合棒の断面の長手方向がシャトルコックの中心方向に一致させて立てる。これは外周からシャトルコックの中心へ向けての応力に対抗し耐久性を増す事が出来る。【００２１】  接合棒の表面をサウンドペーパーやヤスリ等で粗面とし第１と第２の羽軸に嵌合させると、羽軸の下穴と接合棒の表面で摩擦力が増し、抜けにくくなり前記の両羽軸の接合面の接合強度の向上に貢献し耐久性を増す効果がある。
また接合棒の表面に微小な凹凸模様や幾何学的な斜線を付して羽軸との摩擦力を増し耐久性向上を図る事が出来る。【００２２】  修復した水鳥製シャトルコックの重量は交換植付けした羽根の接合棒の本数により増加するが接合棒の材料によっても異なる。接合棒の材料としてはピアノ線アルミ線等の金属材料の他に、竹や木の植物の細線や紙で編んだこより等が有るが接合棒は軽量で、折れ曲がらずに元の直線形状に戻る弾力性に優れ切断しない特性が必要である。最適な材料は合成樹脂製の接合棒でポリプロピレンの丸棒使用の場合は直径０．７ｍｍ、全長１４ｍｍ、比重０．９の接合棒１本の重量は０．００５グラムであり１個のシャトルコックで４枚の羽根の交換植え付けに接合棒４本使用しても０．０２グラム程の重量増で、使用した接着剤と充填剤も微量である。従い修理後の総重量の変化は０．１グラム以内であり、シャトルコック１個の重量が５．０グラムに対し２％以内で無視できる。金属使用時は重量に注意し、他の材料使用時は破断と弾力性に注意が必要である。
【産業上の利用可能性】
【００２３】  水鳥製シャトルコックのリサイクル製品に関するものである。
【符合の説明】
【００２４】（１）シャトルコック                    （２）正常な羽毛
（３）第２の羽軸                        （４）第１の羽軸
（５）第１の羽軸の接合面
（６）接合棒        （７）第１の連結糸        （８）第２の連結糸
（９）ベース        （１０）上端面            （１１）スカート部
（１２）第２の羽軸の接合面  （１３）接合面の下穴
（１４）連結糸の輪            （１５）羽根
（１６）折れ曲がった羽軸と羽毛        （１７）欠落した羽軸と羽毛
（１８）羽軸が割れた羽根          （１９）断面積が長円形の接合棒
【図１】
0003175765.tif 000003
【図２】
0003175765.tif 000004
【図３】
0003175765.tif 000005
【図４】
0003175765.tif 000006
【図５】
0003175765.tif 000007
【手続補正書】
【提出日】平成24年3月5日(2012.3.5)
【手続補正１】
【補正対象書類名】実用新案登録請求の範囲
【補正対象項目名】全文
【補正方法】変更
【補正の内容】
【実用新案登録請求の範囲】
【請求項１】
コルクよりなる半球ベース（９）の上端面（１０）に、羽毛に向かって台形状の羽軸を有する羽根（１５）を円錐状に組み合わせて、第１の連結糸（７）と第２の連結糸（８）で周方向に羽軸を連結固定してなる水鳥製シャトルコックの羽根または羽軸の損傷を修復してなる水鳥製シャトルコックのリサイクル製品において、前記羽根（１５）の羽軸を第２の連結糸（８）と第１の連結糸（７）の間にて接合面（５）を形成してなる第１の羽軸と隣接する正常な羽根と同様な正常な羽毛（２）を有する第２の羽軸（３）の接合面（１２）とを接合棒（６）を介して勘合固定してなる水鳥製シャトルコックのリサイクル製品。
【請求項２】
前記接合棒（６）を第２の連結糸よりも上方へ突設させたことを特徴とする請求項１に記載の水鳥製シャトルコックのリサイクル製品。
【請求項３】
前記接合棒（６）の断面形状を非真円形（１９）としたことを特徴とする請求項１に記載の水鳥製シャトルコックのリサイクル製品。
【請求項４】
前記接合棒（６）の表面を粗面形状としたことを特徴とする請求項１〜３のいずれか一項に記載の水鳥製シャトルコックのリサイクル製品。
【請求項５】
前記接合棒（６）を合成樹脂製としたことを特徴とする請求項１記載の水鳥製シャトルコックのリサイクル製品。
【請求項６】
前記接合面（５）と接合面（１２）を接着したことを特徴とする請求項１に記載の水鳥製シャトルコックのリサイクル製品。